(57)【要約】【課題】  遊技場に設置された複数の遊技機の各稼動率を高低差なく全体に向上させる。【解決手段】  稼動情報表示装置３０の表示手段３３に、機種別の無稼動台数のランキング（空台ランキング）が表示される。この空台ランキングに表示された複数の機種の中から一の機種が選択され、さらに「抽選回数率」が選択されると、その機種の台別の営業開始から現在までの稼動情報にもとづいて算出された、通常遊技状態における単位消費遊技媒体数に対する抽選回数のランキング（抽選回数率ランキング）が表示される。また、空台ランキングから一の機種が選択され、さらに「スランプ」が選択されると、その機種の台別の稼動情報にもとづいて算出された、営業開始又は前回大当たり終了後の通常遊技状態における現在までの抽選回数のランキング（スランプランキング）が表示される。【選択図】    図３
2006223584.tif 000002
【特許請求の範囲】
【請求項１】
遊技に関する情報を表示する表示装置であって、
無稼動台に関する情報をランキングで表示する表示手段を備えた
ことを特徴とする表示装置。
【請求項２】
前記ランキングは、機種別の無稼動台数のランキングを含む
ことを特徴とする請求項１記載の表示装置。
【請求項３】
前記ランキングは、
機種別かつ台別の営業開始から現在までの稼動情報にもとづいて算出された、通常遊技状態における単位消費遊技媒体数に対する抽選回数のランキングを含む
ことを特徴とする請求項１又は２記載の表示装置。
【請求項４】
前記表示手段は、
前記機種別かつ台別の営業開始から現在までの稼動情報にもとづいて算出された、通常遊技状態における単位消費遊技媒体数に対する抽選回数のランキングとともに、
前記機種別かつ台別の、営業開始から現在までの大当たり回数、
前記機種別かつ台別の、営業開始から現在までの獲得遊技媒体数、
前記機種別かつ台別の、営業開始又は前回大当たり終了後の通常遊技状態における現在までの抽選回数
のうちの一又は二以上を表示する
ことを特徴とする請求項３記載の表示装置。
【請求項５】
前記表示手段は、
前記ランキングを所定数ごとに区切って順次表示する場合に、前記所定数ごとの各表示時間について、ランキング上位の表示時間がランキング下位の表示時間よりも長くなるようにする
ことを特徴とする請求項１〜４のいずれかに記載の表示装置。
【請求項６】
前記表示手段は、前記ランキングを表示させるための操作が一定時間以上行われない場合には、
機種別の無稼動台数のランキング、
機種別かつ台別の営業開始から現在までの稼動情報にもとづいて算出された、通常遊技状態における単位消費遊技媒体数に対する抽選回数のランキング、
機種別かつ台別の稼動情報にもとづいて算出された、営業開始又は前回大当たり終了後の通常遊技状態における現在までの抽選回数のランキング
のうちの二以上のランキングを順次切り換えて表示する
ことを特徴とする請求項１〜５のいずれかに記載の表示装置。
【請求項７】
遊技に関する情報を管理する遊技場管理装置と、前記遊技に関する情報を表示する表示装置とを備えた遊技場システムであって、
前記表示装置が、無稼動台に関する情報をランキングで表示する請求項１〜８のいずれかに記載の表示装置からなる
ことを特徴とする遊技場システム。
【発明の詳細な説明】
【技術分野】
【０００１】
本発明は、遊技に関する情報を表示する表示装置及びこの表示装置を備えた遊技場システムに関し、特に、無稼動台に関する情報を表示装置にランキングで表示可能とし、これにより、すぐに遊技できる遊技台の情報を遊技者に提供して、遊技場に設置された各遊技機の稼動率を遊技場全体で向上させる表示装置及び遊技場システムに関する。
【背景技術】
【０００２】
パチンコ機やスロットマシンなどの遊技機が設置された遊技場においては、遊技に関する情報を遊技客に開示するための表示装置を備えているところが多い。
この表示装置に表示される遊技情報には、例えば、大当たり数，打ち止め回数，獲得遊技媒体数，出玉数などがある。これらは機種毎あるいは台毎に表示させることができ、また、機種別，台別にランキングのかたちで表示させることもできる（例えば、特許文献１、２参照。）。
【０００３】
【特許文献１】実用新案登録第３０８２８７４号公報
【特許文献２】特開２００１−１６２０２５号公報
【発明の開示】
【発明が解決しようとする課題】
【０００４】
しかしながら、従来の表示装置が表示するランキングは、遊技者にとっての優秀台に関する遊技情報を上位から列挙したものであった。このため、そのランキングを見た遊技者の多くが、その優秀台で遊技したいと考えていた。そうすると、その優秀台に人気が集中してしまって、ランキングに表示されなかった台には客がつきにくくなる。その結果、各台の稼動率に大きな差が生じ、遊技場全体として稼動率が偏重する傾向が強くなっていた。
【０００５】
こうした傾向は、遊技場側にとって望ましいものではない。つまり、遊技場側としては、稼動率の偏重をなくし、遊技場全体として稼動率が向上することを望んでいた。
ところが、上述した従来の表示装置は、優秀台に関する情報を表示する機能を有するに留まり、遊技場全体として稼動率を向上させるための機能は有していなかった。
本発明は、このような事情にかんがみなされたものであり、遊技場全体として稼動率を向上可能とする表示装置及び遊技場システムの提供を目的とする。
【課題を解決するための手段】
【０００６】
この目的を達成するため、本発明の表示装置は、遊技に関する情報を表示する表示装置であって、無稼動台に関する情報をランキングで表示する表示手段を備えた構成としてある。
表示装置をこのような構成とすると、現在稼動していない遊技機（無稼動台、空台）に関する情報が表示装置に表示されるため、例えば人気の遊技機が満席の場合に、遊技者に対して稼動の少ない台に興味をもたせ誘引することができる。これにより、各遊技機間の稼動率の差異を減少させて、遊技場全体で各遊技機の稼動率を向上させることができる。
【０００７】
また、本発明の表示装置は、ランキングが、機種別の無稼動台数のランキングを含む構成としてある。
表示装置をこのような構成とすれば、空台の多い機種やその台を遊技者に知らせることができる。これにより、遊技者は、今すぐ遊技ができる台を知ることができる。遊技者は、遊技するために遊技場に来ているため、すぐに打てる台が判かれば好都合である。しかも、無稼動台の中でも優秀な台がどれかがを表示装置に開示することで、遊技者に対しその優秀な台で打とうという意欲を誘発させることができる。したがって、稼動の少ない遊技機に遊技者を促すことができ、ひいては遊技場に各種設置された遊技機の稼動率をまんべんなく向上させることができる。
【０００８】
また、本発明の表示装置は、ランキングが、機種別かつ台別の営業開始から現在までの稼動情報にもとづいて算出された、通常遊技状態における単位消費遊技媒体数に対する抽選回数のランキングを含む構成としてある。
表示装置をこのような構成とすると、空台の多い機種の台別の抽選回数率をランキングで表示することができる。これにより、遊技者は、空台の中でも抽選回数率の高い台を選んで遊技を行うことができる。このように、空台の中から遊技者にとって比較的魅力を感じさせる台の情報を提供することで、その空台に遊技者を促すことができ、遊技場全体で各遊技機の稼動率を高めることができる。
【０００９】
また、本発明の表示装置は、表示手段が、機種別かつ台別の営業開始から現在までの稼動情報にもとづいて算出された、通常遊技状態における単位消費遊技媒体数に対する抽選回数のランキングとともに、機種別かつ台別の、営業開始から現在までの大当たり回数、機種別かつ台別の、営業開始から現在までの獲得遊技媒体数、機種別かつ台別の、営業開始又は前回大当たり終了後の通常遊技状態における現在までの抽選回数のうちの一又は二以上を表示する構成としてある。
【００１０】
表示装置をこのような構成とすれば、抽選回数率ランキングの表示画面に、その抽選回数率だけでなく、大当たり回数や獲得遊技媒体数などを表示することができる。これにより、抽選回数率とともに大当たり回数や獲得遊技媒体数なども参考にして遊技機を選ぼうという遊技者の要求を満たすことができる。
【００１１】
また、本発明の表示装置は、表示手段が、ランキングを所定数ごとに区切って順次表示する場合に、所定数ごとの各表示時間について、ランキング上位の表示時間がランキング下位の表示時間よりも長くなるようにする構成としてある。
表示装置をこのような構成とすれば、上位から所定数の範囲内にランクインされた空台の情報を比較的長く表示して、遊技者にアピールすることができる。したがって、長い時間表示された空台に遊技者を誘引して、遊技場全体で各遊技機の稼動率を向上させることができる。
【００１２】
また、本発明の表示装置は、表示手段が、ランキングを表示させるための操作が一定時間以上行われない場合には、機種別の無稼動台数のランキング、機種別かつ台別の営業開始から現在までの稼動情報にもとづいて算出された、通常遊技状態における単位消費遊技媒体数に対する抽選回数のランキング、機種別かつ台別の稼動情報にもとづいて算出された、営業開始又は前回大当たり終了後の通常遊技状態における現在までの抽選回数のランキングのうちの二以上のランキングを順次切り換えて表示する構成としてある。
【００１３】
表示装置をこのような構成とすると、ランキングを表示させるための操作が一定時間以上行われない場合には、表示装置自身が、空台ランキング，抽選回数率ランキング，スランプランキングを自動的に切り換えて表示することができる。これにより、その操作が会員限定である場合でも、会員以外の者に空台情報を開示して、その空台に遊技者を誘引し、遊技場全体で各遊技機の稼動率を高めることができる。
【００１４】
また、本発明の遊技場システムは、遊技に関する情報を管理する遊技場管理装置と、遊技に関する情報を表示する表示装置とを備えた遊技場システムであって、表示装置が、無稼動台に関する情報をランキングで表示する上記請求項１〜８のいずれかに記載の表示装置からなる構成としてある。
【００１５】
遊技場システムをこのような構成とすれば、遊技場管理装置で集計された稼動情報をネットワーク（通信回線）を介して表示装置へ送信して、そのデータを表示させることができる。そして、表示装置が無稼動台に関する情報を表示することで、遊技者に対しその無稼動台に興味を抱かせ誘引することができる。これにより、遊技場全体で各遊技機の稼動率を高めることができる。
【発明の効果】
【００１６】
以上のように、本発明によれば、空台に関する情報をランキングで表示装置に表示することができるため、遊技者に空台への興味を持たせ誘引することができる。これにより、遊技場全体で各遊技機の稼動率を向上させることができる。
【発明を実施するための最良の形態】
【００１７】
以下、本発明に係る表示装置及び遊技場システムの好ましい実施形態について、図面を参照して説明する。
図１は、遊技場システムの全体構成を示すブロック図、図２は、稼動情報表示装置の構成を示すブロック図、図３〜図５は、稼動情報表示装置の表示手段に表示される画面の構成を示す正面図、図６は、遊技場管理装置の構成を示すブロック図である。
【００１８】
本実施形態の遊技場システム１は、遊技場に備えられるシステムであって、図１に示すように、パチンコ機やパチスロ機等からなる遊技機１０と、各遊技機１０に一対一で対応して遊技機１０ごとに設置される台間遊技媒体貸出機２０と、遊技場に設置されて遊技情報を開示する稼動情報表示装置（表示装置）３０と、遊技機１０から送られてきた各種情報を集計・管理する遊技場管理装置４０と、これらを通信可能に接続するＬＡＮなどのネットワーク５０とを備えて構成されている。
【００１９】
遊技機１０は、玉やメダルなどの遊技媒体を用いて所定の遊技を行う機器であって、例えば、パチンコ機，パチスロ機，アレンジボール機，雀球機等が含まれる。
台間遊技媒体貸出機２０は、クレジットカードや現金などが投入されて所定数の遊技媒体を貸し出す装置である。この台間遊技媒体貸出機２０には、それぞれに台間表示器２１を備えることができる。この台間表示器２１は、次述の稼動情報表示装置２０と同様に、無稼動台に関する情報を表示することができる。
【００２０】
稼動情報表示装置３０は、図２に示すように、ネットワーク５０に接続される通信手段３１と、各種情報（無稼動台に関する情報を含む）を記憶する記憶手段３２と、液晶パネルなどの表示手段３３と、押しボタンなどの入力手段３４と、これらを制御する制御手段３５とを備えて構成され、遊技場の適所に設置される。
【００２１】
ここで、通信手段３１は、遊技場管理装置４０から送信されてきた各種情報を受信して制御手段３４へ送る。これにより、制御手段３４は、その各種情報を記憶手段３２へ送って記憶させる。
通信手段３１で受信される情報には、例えば、機種別の空台数，「抽選回数率ランキング」に表示される「抽選回数率」，「大当たり回数」，「単位獲得遊技媒体数（差玉）」，「スランプ」，「スランプランキング」に表示される「スランプ」，「大当たり回数」，「単位獲得遊技媒体数（差玉）」，「抽選回数率」などがある。
【００２２】
記憶手段３２は、通信手段３１で受信された各種情報，表示手段３３に表示される情報，当該稼動情報表示装置３０の有する機能を実現するためのプログラムなどが記憶される。
【００２３】
表示手段３３は、例えば、各遊技機１０の稼動状況に応じて、機種別の無稼動台数のランキング（空台ランキング）を表示することができる。この空台ランキングの表示画面の具体的な構成を図３に示す。
同図に示すように、空台ランキングには、例えば、機種名（「ジャグラー（登録商標）など」，ランキング区分（「Ａ」など），空台数（「３０台」など），機種毎の台番号（「（１０１〜１５０）」など）等を表示することができる。
【００２４】
それらのうち、ランキング区分とは、所定期間における機種毎の稼動率の平均を大枠で区分けしたものをいう。
ここで、所定期間には、例えば、数日分，一週間分，一ヶ月分などがあり、区分けには、例えば、Ａ評価，Ｂ評価，Ｃ評価などがある。
これにより、当日のランキングについては「空台数」により把握でき、過去の所定期間における総合ランキングについては「ランキング区分」により把握できる。
【００２５】
なお、空台ランキング表示画面には、少なくともその時点までに稼動情報が記憶されている機種のみを表示させるようにしてもよい。また、空台ランキングに表示される情報のすべてを一画面に表示できない場合は、画面を所定時間毎に切り換えて表示させるようにしても良い。
【００２６】
また、表示手段３３は、空台ランキングに表示された複数機種の中から選択された一又は二以上の機種の台別の営業開始から現在までの稼動情報にもとづいて、通常遊技状態における、単位消費遊技媒体数に対する抽選回数のラインキング（抽選回数率ランキング）を表示することができる。この抽選回数率ランキングの具体的な構成を図４に示す。
【００２７】
この抽選回数率ランキングは、台番号（「台番」）、営業開始から現在までの通常遊技状態における単位消費遊技媒体数に対する抽選回数（「率」）、営業開始から現在までの大当たり回数（ビッグボーナス又はレギュラーボーナス回数、「大当」）及び獲得遊技媒体数（「差玉」（差数））、営業開始又は前回大当たり終了後の通常遊技状態における現在までの抽選回数（「スランプ」）を表示することができる。
【００２８】
この抽選回数率ランキング表示画面は、遊技者の操作（入力手段３４（押しボタン）又は表示手段３３（タッチパネル）の操作）により、空台ランキングに表示された機種の中から一（又は二以上）の機種が選択され、さらに「抽選回数率」が選択されたときに、その選択された機種の遊技機において、開店から現在までの通常遊技状態における単位（例えば千円に相当する）消費遊技媒体数（例えば、玉は２５０個、メダルは５０枚）に対する抽選回数のランキングを、その回数とともに表示する。
この抽選回数率ランキングに表示される情報のすべてを一画面に表示できない場合は、所定時間毎に切り換えるようにすることができる。
また、開店から現在までの獲得遊技媒体数は、「差数」ではなく「最大値」で表示することもできる。
【００２９】
さらに、表示手段３３は、空台ランキングに表示された複数機種の中から選択された一又は二以上の機種の台別の稼動情報にもとづいて、営業開始又は前回大当たり終了後の通常遊技状態における現在までの抽選回数のランキング（スランプランキング）を表示することができる。このスランプランキングの具体的な構成を図５に示す。
【００３０】
このスランプランキングは、各機種の空台を「スランプ」でランキング表示したものである。これに対し、抽選回数率ランキングは、各機種の空台を「抽選回数率」でランキング表示したものである。
このため、スランプランキングに表示される項目は、抽選回数率ランキングに表示される項目と同様である。すなわち、スランプランキングは、台番号（「台番」）、営業開始又は大当たり終了後の通常遊技状態における抽選回数（「スランプ」）、営業開始から現在までの大当たり回数（ビッグボーナス又はレギュラーボーナス回数、「大当」）及び獲得遊技媒体数（「差玉」（差数））、営業開始から現在までの通常遊技状態における単位消費遊技媒体数に対する抽選回数（「率」）を表示することができる。
【００３１】
このスランプランキング表示画面は、遊技者の操作（入力手段３４（押しボタン）又は表示手段３３（タッチパネル）の操作）により、空台ランキングに表示された複数機種の中から一（又は二以上）の機種が選択され、さらに「スランプ」が選択されたときに、その選択された機種の遊技機において、開店又は前回大当たり終了後の通常遊技状態における現在までの抽選回数のランキングを、その回数とともに表示する。
【００３２】
このスランプランキングに表示される情報のすべてを一画面に表示できない場合は、画面を所定時間毎に切り換えることができる。
また、開店から現在までの獲得遊技媒体数は、「差数」ではなく「最大値」で表示することもできる。
【００３３】
なお、表示手段３３は、タッチパネルで構成することができる。この場合、表示手段３３は、入力手段としての機能を有し、遊技者はその画面上で操作することができる。例えば、空台ランキングに表示された複数の機種の中から一（又は二以上）の機種を選択する場合に、その表示画面上で選択することができる。また、表示手段３３に「抽選回数率」，「スランプ」，「戻る」，「終了」などに対応したボタンを表示して、その表示画面上で選択可能とすることもできる。
【００３４】
また、表示手段３３は、制御手段３５の制御により、図３〜図５に示したランキング表示において、上位から所定数（例えば、１位から５位まで）のランキング表示と、それ以下の所定数（例えば、６位から１０位まで）のランキング表示とを順次行う場合に、順次表示する表示時間を、最上位の表示時間から順次下位の表示時間を少なくするよう設定することができる。
【００３５】
さらに、遊技者による表示操作が所定時間行われなかった場合には、制御手段３５の制御により、空台ランキング，抽選回数率ランキング，スランプランキングの各表示を順次所定時間毎に切り換えて表示手段３３に表示させるように制御することができる。
これにより、会員でない遊技者に対しても無稼動台に関するデータを見せるようにすることができる。
【００３６】
入力手段３４は、例えば、押しボタンなどで構成することができ、「抽選回数率」，「スランプ」，「戻る」，「終了」などを選択することができる。なお、表示手段３３が入力手段としての機能を有する場合は、入力手段３４自体を省略することもできる。
制御手段３５は、記憶手段３２に記憶されたプログラムにもとづいて、表示手段３３での各種情報の表示を制御する。例えば、表示される情報の更新や画面の切換などを制御する。
【００３７】
遊技場管理装置４０は、図６に示すように、ネットワーク５０に接続された通信手段４１と、各種情報を記憶する記憶手段４２と、稼動情報表示装置３０で表示される情報を生成する表示情報算出手段４３と、これらを制御する制御手段４４とを備えるコンピュータであって、記憶手段４２に記憶される情報管理プログラムにもとづいて動作される。
【００３８】
通信手段４１は、ネットワーク５０を介して遊技機１０から各種信号を受信する。この受信する信号には、例えば、空台信号，抽選信号，図柄確定信号，通常遊技状態信号，打ち込み信号（投入又は引落し信号），遊技媒体払出信号（賞球信号）などが含まれる。
空台信号としては、例えばアウト玉信号を用いることができ、打ち込み（投入又は引落し）が所定時間以上ない遊技機を空台とすることができる。
抽選信号や図柄確定信号は、抽選回数率などを算出するために必要となる信号である。
【００３９】
通常遊技状態信号については、例えば、大当たり信号，確変信号，時短信号（ビッグボーナス信号，レギュラーボーナス信号）など特別遊技状態信号がない状態を通常遊技状態とすることができる。
遊技媒体払出信号（賞球信号）は、差数を算出するために必要となる信号である。
【００４０】
表示情報算出手段４３は、空台信号により、その時点における機種別の空台数を算出する。そして、「抽選回数率ランキング」に表示される「抽選回数率」，「大当たり回数」，「単位獲得遊技媒体数（差玉）」，「スランプ」を算出する。さらに、「スランプランキング」に表示される「スランプ」，「大当たり回数」，「単位獲得遊技媒体数（差玉）」，「抽選回数率」などを算出する。
これら算出された情報は、記憶手段４２に記憶される。また、通信手段４１を介して稼動情報表示装置３０へ送信される。
【００４１】
次に、本実施形態の稼動情報表示装置及び遊技場システムの動作について、図７を参照して説明する。
同図は、本実施形態の稼動情報表示装置の動作を示すフローチャートである。
稼動情報表示装置３０の表示手段３３には、図３に示すような「空台ランキング」（無稼動台数ランキング）が表示されている（ステップ１０）。
その空台ランキングに表示されている複数機種のうちの一（又は二以上）の機種が、遊技者により表示手段３３の画面上で選択されたか否かが判定される（ステップ１１）。
【００４２】
判定の結果、一（又は二以上）の機種が選択されたときは、次いで「抽選回数率」が選択されたか否かが判定される（ステップ１２）。
判定の結果、「抽選回数率」が選択されたときは、「抽選回数率ランキング」が表示手段３３に表示される（ステップ１３）。この「抽選回数率ランキング」は、「戻る」が選択されるまで表示され続ける（ステップ１４）。
【００４３】
一方、「抽選回数率」が選択されていないときは、「スランプ」が選択されたか否かが判定される（ステップ１５）。
判定の結果、「スランプ」が選択されたときは、「スランプランキング」が表示手段３３に表示される（ステップ１６）。この「スランプランキング」は、「戻る」が選択されるまで表示され続ける（ステップ１７）。
【００４４】
そして、ステップ１１において空台ランキングに表示されている複数機種のうちの一又は二以上の機種が未だ選択されていない場合は、その後継続して空台ランキングが表示される。ただし、「終了」が選択されると、空台ランキングが消去されるなどして終了する（ステップ１８）。
なお、ステップ１１における機種の選択が所定時間以上行われなかったときは、空台ランキングと抽選回数率ランキングとスランプランキングとを、所定時間毎に切り換えて表示手段３３に表示させることもできる。
【００４５】
以上、本発明の稼動情報表示装置及び遊技場システムの好ましい実施形態について説明したが、本発明に係る稼動情報表示装置及び遊技場システムは上述した実施形態にのみ限定されるものではなく、本発明の範囲で種々の変更実施が可能であることは言うまでもない。
例えば、上述した実施形態では、稼動情報表示装置や遊技場管理装置を遊技場システムにおいて一台のみ接続した構成としてあるが、それら稼動情報表示装置や遊技場管理装置は一台のみに限定されるものではなく、複数台備えることもできる。
また、空台ランキングから抽選回数率ランキングやスランプランキングへの切換操作は、会員に限定することもでき、あるいは限定しないようにすることもできる。
【００４６】
なお、上記の実施形態における稼動情報表示装置や遊技場管理装置は、プログラムに制御されたコンピュータにより実行することができる。すなわち、プログラム（ソフトウエア）とハードウエア資源（例えば、ＣＰＵ等の制御手段など）とが協働したコンピュータ（稼動情報表示装置，遊技場管理装置）により実現される。
プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【産業上の利用可能性】
【００４７】
本発明は、表示装置に表示される遊技情報についての発明であるため、遊技情報を表示する装置や機器に利用可能である。
【図面の簡単な説明】
【００４８】
【図１】本発明の遊技場システムの構成を示すブロック図である。
【図２】本発明の稼動情報表示装置の構成を示すブロック図である。
【図３】空台ランキングの構成を示す正面図である。
【図４】抽選回数率ランキングの構成を示す正面図である。
【図５】スランプランキングの構成を示す正面図である。
【図６】遊技場管理装置の構成を示すブロック図である。
【図７】本発明の稼動情報表示装置の動作を示すフローチャートである。
【符号の説明】
【００４９】
１  遊技場システム
１０  遊技機
２０  台間遊技媒体貸出機
３０  稼動情報表示装置
３３  表示手段
３５  制御手段
４０  遊技場管理装置
【図１】
2006223584.tif 000003
【図２】
2006223584.tif 000004
【図３】
2006223584.tif 000005
【図４】
2006223584.tif 000006
【図５】
2006223584.tif 000007
【図６】
2006223584.tif 000008
【図７】
2006223584.tif 000009